【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
少なくとも１つの提案合同イベントを見つけることと、少なくとも１人の第１の参加者の参加者個人プロファイル情報を少なくとも１人の第２の参加者に対して表示するのを援助することに関する、少なくとも１つのインターネット・ウェブ・サイトによって使用されるコンピュータ・システムであって、前記コンピュータ・システムは、
（ａ）提案イベント情報をサーチ可能に格納する少なくとも１つのコンピュータ・データベースであって、前記提案イベント情報が、少なくとも、
（ｉ）少なくとも１種類の少なくとも１つの提案合同イベントと、
（ｉｉ）前記少なくとも１つの提案合同イベントのための少なくとも１つの提案地理的エリアと、
（ｉｉｉ）前記少なくとも１つの提案合同イベントのための少なくとも１つの提案時間条件と、
を包含し、
（ｂ）前記少なくとも１人の第１の参加者のために、前記提案イベント情報の入力を可能にすることを援助する少なくとも１つのコンピュータ・インターフェースと、
（ｃ）前記参加者個人プロファイル情報をサーチ可能に格納する少なくとも１つのコンピュータ・データベースであって、前記参加者個人プロファイル情報が、少なくとも、
（ｉ）少なくとも１つの一意的な識別子と、
（ｉｉ）前記少なくとも１種類の少なくとも１つの前記提案合同イベントと、
（ｉｉｉ）前記少なくとも１種類の少なくとも１つの提案合同イベントの少なくとも１つの第１の習熟レベルと、
（ｉｖ）人口学的情報と、
（ｖ）連絡情報と、
を包含し、
（ｄ）前記少なくとも１人の第１の参加者のために、前記参加者個人プロファイル情報の入力を可能にすることを援助する少なくとも１つのコンピュータ・インターフェースと、
（ｅ）前記入力された提案合同イベントと前記入力された参加者個人プロファイル情報とを関連付けることを可能にすることを援助する少なくとも１つのコンピュータ処理手段と、
（ｆ）前記少なくとも１人の第２の参加者のために、前記少なくとも１つの提案合同イベントのマッチング提案用に第１のサーチ可能条件を入力することを可能にすることを援助する少なくとも１つのコンピュータ・インターフェースと、
（ｇ）前記少なくとも１つのコンピュータ・データベースから少なくとも前記第１のサーチ可能条件にマッチする前記格納された提案イベント情報を検索することを援助する少なくとも１つのコンピュータ処理手段と、
（ｈ）前記検索された提案イベント情報に関連付けられた前記入力された参加者プロファイル情報を表示することを援助する少なくとも１つのコンピュータ・インターフェースと、
を包含する、コンピュータ・システム。
【請求項２】
（ａ）前記少なくとも１人の第１の参加者のために、前記少なくとも１種類の少なくとも１つの提案合同イベントの少なくとも１つの第１の習熟レベルの入力を可能にすることを援助する少なくとも１つのコンピュータ・インターフェースと、
（ｂ）前記少なくとも１人の第２の参加者のために、少なくとも、前記少なくとも１種類の少なくとも１つの提案合同イベントの前記少なくとも１つの習熟レベルとのマッチング提案用の、少なくとも１つの第２のサーチ可能条件の入力を可能にすることを援助する少なくとも１つのコンピュータ・インターフェースと、
（ｃ）前記少なくとも１つのコンピュータ・データベースから、少なくとも前記第２のサーチ可能条件とマッチする前記格納された提案イベント情報を検索することを援助する少なくとも１つのコンピュータ処理手段と、
（ｄ）前記検索された提案イベント情報に関連付けられた前記入力された参加者プロファイル情報を表示することを援助する少なくとも１つのコンピュータ・インターフェースと、
をさらに包含する、請求項１に記載のコンピュータ・システム。
【請求項３】
前記少なくとも１人の第１の参加者のために、前記少なくとも１つのコンピュータ・データベースから前記格納された提案イベント情報を検索することを援助する少なくとも１つのコンピュータ処理手段、
をさらに包含する請求項1に記載のコンピュータ・システム。
【請求項４】
（ａ）前記少なくとも１人の第２の参加者のために、前記個人プロファイル情報のマッチング提案用の少なくとも１つの第３のサーチ可能条件の入力を可能にすることを援助する少なくとも１つのコンピュータ・インターフェースと、
（ｂ）前記少なくとも１つのコンピュータ・データベースから前記第３のサーチ可能条件にマッチする前記格納された個人プロファイル情報を検索することを援助する少なくとも１つのコンピュータ処理手段と、
をさらに包含する、請求項１に記載のコンピュータ・システム。
【請求項５】
前記個人プロファイル情報は、さらに
子供の情報、参加者の背景情報、個人的特徴の情報、好きな食べ物の情報、好みの音楽の情報、少なくとも１つの画像のうちの少なくとも２つを包含する、請求項４に記載のコンピュータ・システム。
【請求項６】
（ａ）少なくとも１つの掲示板投稿をサーチ可能に格納することを援助する少なくとも１つのコンピュータ・データベースと、
（ｂ）前記少なくとも１人の第１の参加者のために、前記少なくとも１つの掲示板投稿の入力を可能にすることを援助する少なくとも１つのコンピュータ処理手段と、
（ｃ）前記少なくとも１つの掲示板投稿と前記少なくとも１人の第１の参加者とを関連付けることを援助する少なくとも１つのコンピュータ処理手段と、
（ｄ）１人の第２の参加者のために、前記個人プロファイル情報とのマッチング提案用の少なくとも１つの第４のサーチ可能条件の入力を可能にすることを援助する少なくとも１つのコンピュータ・インターフェースと、
（ｅ）前記第４のサーチ可能条件にマッチする前記個人プロファイル情報に関連付けられた前記少なくとも１つの入力された掲示板投稿を前記少なくとも１つのコンピュータ・データベースから検索することを援助する少なくとも１つのコンピュータ処理手段と、
をさらに包含する、請求項１に記載のコンピュータ・システム。
【請求項７】
前記第４のサーチ可能条件は、
（ａ）少なくとも１種類の提案合同イベントと、
（ｂ）前記少なくとも１つの提案合同イベントのための少なくとも１つの提案地理的エリアと、
（ｃ）前記少なくとも１つの提案合同イベントのための少なくとも１つの提案時間条件と、
を包含する、請求項６に記載のコンピュータ・システム。
【請求項８】
前記少なくとも１人の第２の参加者の前記少なくとも１人の第１の参加者との通信を援助する少なくとも１つのコンピュータ・インターフェースをさらに包含する、請求項１に記載のコンピュータ・システム。
【請求項９】
前記少なくとも１人の第２の参加者の前記少なくとも１人の第１の参加者との通信を援助する前記少なくとも１つのコンピュータ・インターフェースは、
（ａ）前記第２の参加者に対する前記第１の参加者の連絡情報の非開示を援助する少なくとも１つのコンピュータ・インターフェースと、
（ｂ）前記第１の参加者に対する前記第２の参加者の連絡情報の非開示を援助する少なくとも１つのコンピュータ・インターフェースと、
を包含する、請求項８に記載のコンピュータ・システム。
【請求項１０】
前記通信の援助は、電話のショート・メッセージ・サービスを使って実行される、請求項８に記載のコンピュータ・システム。
【請求項１１】
前記少なくとも１つの提案合同イベントに関する応答通信を管理することを援助する少なくとも１つのコンピュータ・インターフェースをさらに包含する、請求項８に記載のコンピュータ・システム。
【請求項１２】
電話送信されたメッセージ・データとの通信を可能にするコンピュータ・インターフェース手段をさらに包含する、請求項８に記載のコンピュータ・システム。
【請求項１３】
少なくとも１つの提案合同イベントを見つけることと、少なくとも１人の第２の参加者による少なくとも１人の第１の参加者の参加者個人プロファイル情報の表示を援助することに関する、少なくとも１つのインターネット・ウェブ・サイトを使って使用可能なコンピュータ・プログラム・システムであって、
（ａ）提案イベント情報をサーチ可能に格納するステップであって、前記提案イベント情報が、少なくとも、
（ｉ）少なくとも１種類の１つの提案合同イベントと、
（ｉｉ）前記少なくとも１つの提案合同イベントのための少なくとも１つの提案地理的エリアと、
（ｉｉｉ）前記少なくとも１つの提案合同イベントのための少なくとも１つの提案時間条件と、
を包含する、ステップと、
（ｂ）前記少なくとも１人の第１の参加者のために、前記提案合同イベント情報の入力を可能にするステップと、
（ｃ）参加者個人プロファイル情報をサーチ可能に格納するステップであって、前記参加者個人プロファイル情報が、少なくとも、
（ｉ）少なくとも１つの一意的な識別子と、
（ｉｉ）少なくとも１種類の少なくとも１つの前記提案合同イベントと、
（ｉｉｉ）前記少なくとも１種類の提案合同イベントの少なくとも１つの第１の習熟レベルと、
（ｉｖ）人口学的情報と、
（ｖ）連絡情報と、
を包含する、ステップと、
（ｄ）少なくとも１人の第１の参加者による前記参加者個人プロファイル情報の入力を可能にするステップと、
（ｅ）少なくとも１つのコンピュータ・データベースにおいて、前記入力された提案イベント情報と前記入力された参加者個人プロファイル情報とを関連付けることを可能にするステップと、
（ｆ）前記少なくとも１人の第２の参加者による、少なくとも１つの提案合同イベントとのマッチング提案用の第１のサーチ可能条件の入力を可能にするステップと、
（ｇ）前記少なくとも１つのコンピュータ・データベースから前記第１のサーチ可能条件にマッチする前記格納された提案イベント情報を検索するステップと、
（ｈ）前記検索された提案イベント情報に関連付けられた前記入力された参加者プロファイル情報を表示するステップと、
を実行する、コンピュータ・プログラム・システム。
【請求項１４】
前記少なくとも１種類の提案合同イベントは、少なくとも１つのスポーツ・イベントを包含する、請求項１３に記載のコンピュータ・プログラム・システム。
【請求項１５】
前記少なくとも１人の第１の参加者および前記少なくとも１人の第２の参加者のうちの少なくとも１人は少なくとも１つのチームを構成する、請求項１３に記載のコンピュータ・プログラム・システム。
【請求項１６】
（ａ）前記少なくとも１人の第１の参加者のために、前記少なくとも１種類の提案合同イベントの少なくとも１つの第１の習熟レベルの入力を可能にするステップと、
（ｂ）前記少なくとも１人の第２の参加者のために、前記少なくとも１種類の提案合同イベントの前記少なくとも１つの習熟レベルとのマッチング提案用の少なくとも１つの第２のサーチ可能条件の入力を可能にするステップと、
（ｃ）前記コンピュータ・データベースから前記第２のサーチ可能条件にマッチする前記提案イベント情報を検索するステップと、
（ｄ）前記検索された提案イベント情報に関連付けられた前記入力された参加者プロファイル情報を表示するステップと、
をさらに実行する請求項１３に記載のコンピュータ・プログラム・システム。
【請求項１７】
前記少なくとも１人の第１の参加者のために、前記コンピュータ・データベースから前記提案イベント情報を検索するステップをさらに実行する、請求項１３に記載のコンピュータ・プログラム・システム。
【請求項１８】
（ａ）前記少なくとも１人の第２の参加者のために、前記参加者の個人プロファイル情報のマッチング提案用の少なくとも１つの第３のサーチ可能条件の入力を可能にするステップと、
（ｂ）前記少なくとも１つのコンピュータ・データベースから前記少なくとも１つの前記第３のサーチ可能条件にマッチする前記個人プロファイル情報を検索するステップと、
をさらに実行する請求項１３に記載のコンピュータ・プログラム・システム。
【請求項１９】
前記個人プロファイル情報は、さらに、
（ａ）子供の情報、
（ｂ）参加者の背景情報、
（ｃ）個人的特徴の情報、
（ｄ）好きな食べ物の情報、
（ｅ）好みの音楽の情報、
（ｆ）少なくとも１つの画像、
のうちの少なくとも２つを包含する、請求項１８に記載のコンピュータ・プログラム・システム。
【請求項２０】
（ａ）少なくとも１つの掲示板投稿をサーチ可能に格納するステップと、
（ｂ）前記少なくとも１人の第１の参加者のために、前記少なくとも１つの掲示板投稿の入力を可能にするステップと、
（ｃ）少なくとも１つのコンピュータ・データベースで、前記少なくとも１つの前記掲示板投稿と前記少なくとも１人の第１の参加者とを関連付けるステップと、
（ｄ）前記少なくとも１人の第２の参加者のために、前記個人プロファイル情報とのマッチング提案用の少なくとも１つの第４のサーチ可能条件の入力を可能にするステップと、
（ｅ）前記第４のサーチ可能条件にマッチする前記個人プロファイル情報に関連付けられた前記少なくとも１つの掲示板投稿を検索するステップと、
をさらに実行する請求項１３に記載のコンピュータ・プログラム・システム。
【請求項２１】
前記第４のサーチ可能条件は、
（ａ）少なくとも１種類の少なくとも１つの提案合同イベントと、
（ｂ）前記少なくとも１つの提案合同イベントのための少なくとも１つの提案地理的エリアと、
（ｃ）前記少なくとも１つの提案合同イベントのための少なくとも１つの提案時間条件と、
を包含する請求項２０に記載のコンピュータ・プログラム・システム。
【請求項２２】
前記少なくとも１人の第２の参加者の前記少なくとも１人の第１の参加者との通信を援助するステップをさらに実行する、請求項１３に記載のコンピュータ・プログラム・システム。
【請求項２３】
前記少なくとも１人の第２の参加者の前記少なくとも１人の第１の参加者との通信を援助する前記ステップは、
（ａ）前記第２の参加者に対する前記第１の参加者の連絡情報の非開示を援助するステップと、
（ｂ）前記第１の参加者に対する前記第２の参加者の連絡情報の非開示を援助するステップと、
を包含する請求項２２に記載のコンピュータ・プログラム・システム。
【請求項２４】
前記少なくとも１人の第２の参加者の前記少なくとも１人の第１の参加者との通信を援助する前記ステップは、ディジタル携帯電話上のテキスト・メッセージングを用いて達成される、請求項２２に記載のコンピュータ・プログラム・システム。
【請求項２５】
前記少なくとも１つの提案合同イベントに関する応答通信を管理することを援助するステップをさらに実行する、請求項２２に記載のコンピュータ・プログラム・システム。